(57)【要約】      （修正有）【課題】照明付き、棘ぬき型式、薬取り出し器を提供する。【解決手段】照明付き、棘ぬき型式のＵ字状の形状であり、一方はバネ３になるようにＵ字状にしてあり、もう一方はまっすぐの二段であり、上段１の端の部分には二個、左右に普通の大きさのタイプ、大きいタイプの凸型の丸形、又は角形の突起物５を付けておき、下段２の端には上段の突起物が入るように二個、普通サイズのタイプ、大きいサイズのタイプの穴の溝を開けておき、下段の下には水平面、又は、曲面状の底面を有する、薬粒を受ける箱型の受け皿８を付けておき、受け皿の前面の位置に薬粒の取り出し口を開けておいて、下段の奥のバネの下の部分にはスイッチ式の照明、又はＬＥＤ照明と電池を入れておき、前方は薬粒を受けるための箱にしておいて、照明で穴の溝の付近を明るくして、その穴の溝の上にシートに包まれた薬粒を置いておいて、上段を下へ下ろすと突起物が下段の薬粒の上に落ちて、シートを破って薬粒を手に取り出して飲むことができる。【選択図】図１
0003214424.tif 000002
【実用新案登録請求の範囲】
【請求項１】
照明付き、棘ぬき型式のＵ字状の形状であり、一方はバネになるようにコの字状にしてあり、もう一方はまっすぐの二段であり、上段の端の部分には二個、左右に普通の大きさのタイプ、大きいタイプの凸型の丸形、又は、角形の突起物を付けておき、下段の端には上段の突起物が入るように二個、普通サイズのタイプ、大きいサイズのタイプの穴の溝を
0003214424.tif 000008
おき、受け皿の前面の位置に薬粒の取り出し口を開けておいて、下段の奥のバネの下の部分にはスイッチ式の照明、又はＬＥＤ照明と電池を入れておき、前方は薬粒を受けるための箱にしておいて、照明で穴の溝の付近を明るくして、その穴の溝の上にシートに包まれた薬粒を置いておいて、上段を下へ下ろすと突起物が下段の薬粒の上に落ちて、シートを破って薬粒を手に取り出して飲んだり、取り出し口から小さな薬粒を指や手に持ち変えることなく、直接に口にあてて飲むことができることも可能であることを特徴とする、照明付き、棘ぬき型式、薬取り出し器。
【請求項２】
照明付き、棘ぬき型式のＵ字状の形状であり、一方はバネになるようにコの字状にしてあり、もう一方はまっすぐの二段であり、上段の端の部分には二個、左右に普通の大きさのタイプ、大きいタイプの凸型の丸形、又は、角形の突起物を付けておき、下段の端には上段の突起物が入るように二個、普通サイズのタイプ、大きいサイズのタイプの穴の溝を
0003214424.tif 000009
けておき、受け皿の左側面の前方の位置に薬粒の取り出し口を開けておいて、下段の奥のバネの下の部分にはスイッチ式の照明、又はＬＥＤ照明と電池を入れておき、前方は薬粒を受けるための箱にしておいて、照明で穴の溝付近を明るくして、その穴の溝の上にシートに包まれた薬粒を置いておいて、上段を下へ下ろすと突起物が下段の薬粒の上に落ちて、シートを破って薬粒を手に取り出して飲んだり、取り出し口から小さな薬粒を指や手に持ち変えることなく、直接に口にあてて飲むことができることも可能であることを特徴とする、照明付き、棘ぬき型式、薬取り出し器。
【請求項３】
照明付き、棘ぬき型式のＵ字状の形状であり、一方はバネになるようにコの字状にしてあり、もう一方はまっすぐの二段であり、上段の端の部分には二個、左右に普通の大きさのタイプ、大きいタイプの凸型の丸形、又は、角形の突起物を付けておき、下段の端には上段の突起物が入るように二個、普通サイズのタイプ、大きいサイズのタイプの穴の溝を
0003214424.tif 000010
ておき、受け皿の前の右側面の前方の位置に薬粒の取り出し口を開けておいて、下段の奥のバネの下の部分にはスイッチ式の照明、又はＬＥＤ照明と電池を入れておき、前方は薬粒を受けるための箱にしておいて、照明で穴の溝付近を明るくして、その穴の溝の上にシートに包まれた薬粒を置いておいて、上段を下へ下ろすと突起物が下段の薬粒の上に落ちて、シートを破って薬粒を手に取り出して飲んだり、取り出し口から小さな薬粒を指や手に持ち変えずに、直接に口にあてて飲むことができることも可能であることを特徴とする、照明付き、棘ぬき型式、薬取り出し器。
【請求項４】
照明付き、棘ぬき型式のＵ字状の形であり、一方はバネになるようにコの字状にしてあり、もう一方はまっすぐの二段であり、上段の端の部分には三個、左から小、中、大のサイズの大きさの凸型の丸形、又は、角型の突起物を付けておき、下段の端には上段の突起物が入るように三個、左から小、中、大の大きさのサイズの穴の溝を開けておき、下段の奥のバネの下の部分にはスイッチ式の照明、又はＬＥＤ照明と電池を入れておき、前方は薬粒を受ける受け皿の箱にしておき、その受け皿の前面の位置に薬粒の取り出し口を開けておき、照明で穴の溝付近を明るくして、その穴の溝の上にシートに包まれた薬粒を置いておいて、上段を下へ下ろすと突起物が下段の薬粒の上に落ちて、シートを破って薬粒を手に取り出して飲んだり、取り出し口から小さな薬粒を指や手に持ち変えずに、直接に口にあてて飲むことができることも可能であることを特徴とする、照明付き、棘ぬき型式、薬取り出し器。
【請求項５】
照明付き、棘ぬき型式のＵ字状の形であり、一方はバネになるようにコの字状にしてあり、もう一方はまっすぐの二段であり、上段の端の部分には三個、左から小、中、大のサイズの大きさの凸型の丸形、又は、角形の突起物を付けておき、下段の端には上段の突起物が入るように三個、左から小、中、大の大きさのサイズの穴の溝を開けておき、下段の奥のバネの下の部分にはスイッチ式の照明、又はＬＥＤ照明と電池を入れておき、前方は薬粒を受ける受け皿の箱にしておき、その受け皿の左側面の前方の位置に薬粒の取り出し口を開けておき、穴の溝付近を明るくして、その穴の溝の上にシートに包まれた薬粒を置いておいて、上段を下へ下ろすと突起物が下段の薬粒の上に落ちて、シートを破って薬粒を手に取り出して飲んだり、取り出し口から小さな薬粒を指や手に持ち変えずに、直接に口にあてて飲むことができることも可能であることを特徴とする、照明付き、棘ぬき型式、薬取り出し器。
【請求項６】
照明付き、棘ぬき型式のＵ字状の形であり、一方はバネになるようにコの字状にしてあり、もう一方はまっすぐの二段であり、上段の端の部分には三個、左から小、中、大のサイズの大きさの凸型の丸形、又は、角形の突起物を付けておき、下段の端には上段の突起物が入るように三個、左から小、中、大の大きさのサイズの穴の溝を開けておき、下段の奥のバネの下の部分にはスイッチ式の照明、又はＬＥＤ照明と電池を入れておき、前方は薬粒を受ける受け皿の箱にしておき、その受け皿の右側面の前方の位置に薬粒の取り出し口を開けておき、穴の溝付近を明るくして、その穴の溝の上にシートに包まれた薬粒を置いておいて、上段を下に下ろすと突起物が下段の薬粒の上に落ちて、シートを破って薬粒を手に取り出して飲んだり、取り出し口から小さな薬粒を指や手に持ち変えずに、直接に口にあてて飲むことができることも可能であることを特徴とする、照明付き、棘ぬき型式、薬取り出し器。
【請求項７】
照明付き、棘ぬき型式のＵ字状の形であり、一方はバネになるようにコの字状にしてあり、もう一方はまっすぐの二段であり、上段の端の部分には一個、凸型の丸形、又は、角形の突起物を付けておき、下段の端には上段の突起物が入るように一個、穴の溝を開けておき、下段の奥のバネの下の部分にはスイッチ式の照明、又はＬＥＤ照明と電池を入れておき、前方は薬粒を受ける受け皿の箱にしておき、その受け皿の前面の位置、又は、左側面の前方、又は、右側面の前方の位置に薬粒の取り出し口を開けておき、穴の溝付近を明るくして、その穴の溝の上にシートに包まれた薬粒を置いておいて、上段を下へ下ろすと突起物が下段の薬粒の上に落ちて、シートを破って薬粒を手に取り出して飲んだり、取り出し口から小さな薬粒を指や手から持ち変えずに、直接口にあてて飲むことができることも可能であることを特徴とする、照明付き、棘ぬき型式、薬取り出し器。
【請求項８】
照明付きで、幅広のバネ式のホッチキス型式の形状であり、一方は押しバネ、又は板バネ、又はキックバネを一個〜二個取り付けておいて、もう一方はまっすぐの二段であり、上段の端の部分には二個、左右に普通サイズの大きさと大きいサイズの大きさの凸型の丸形、又は角形の突起物を付けておき、下段の端には上段の突起物が入る大きさで二個、左右に普通サイズの大きさと大きいサイズの大きさの穴の溝を開けておき、下段の下に
0003214424.tif 000011
置、又は左側面の前方の位置、又は右側面の前方の位置に薬粒の取り出し口を開けておいて、下段の下の受け皿の中ほどより後方の部分にはスイッチ式の照明、又はＬＥＤ照明と電池を入れておき、前方は薬粒を受けるための箱にしておいて、上段を下に下ろすと突起物が下段の薬粒の上に落ちて、シートを破って薬粒を手に取り出して飲んだり、取り出し口から小さな薬粒を指や手に持ち変えることなく、直接に口にあてて飲むことができることも可能であることを特徴とする、幅広のバネ式の薬取り出し器の下に付けた、照明と薬取り出し口を付けた薬取り出し器。
【考案の詳細な説明】
【技術分野】
【０００１】  飲薬の錠剤の薬粒をシートから取り出すことに関するものである。
【背景技術】
【０００２】  飲薬の錠剤の薬粒をシートから取り出す器具は存在する。
【先行技術】
【０００３】１、「お薬取り出し器，トリダス」、便利グッズ、アイデア商品
ホッチキス型で先端に突起物と穴があり、穴の上にシートに包まれた薬粒を置いて、    突起物を下して薬粒を取り出すことができる器具。
２、「おくすりパンチ」、ＰＴＰシートから錠剤を抜く補助器。ＮＨＫおはよう日本の「    まちかど情報局」で紹介。
３、「錠剤オプナー  ＨＡ４１３１」、幅広ホッチキス型で二個の穴と突起物と穴がある    タイプの器具。
４、いろいろなナイフやハサミで錠剤のシートを切って、薬粒を出す。
【考案の概要】
【０００４】  照明付きで幅広の棘ぬき型式で、一方はバネになるようにＵ字状であり、もう一方はまっすぐの二段で、上段の先端には左右に二個の凸型の突起物を左右に普通サイズのタイプ、大きいサイズのタイプを付けておき、もう一方の下段には上段の突起物が入る位置に、
0003214424.tif 000003
の箱型の受け皿をつけておき、箱の前の方は薬粒の受け皿の空間であり、前面、又は左側面、又は右側面に薬粒の取り出し口をつくっておき、箱の後方の空間はスイッチ式、又はサーモスタット式の照明、又はＬＥＤ照明を前面に向けて取り付けておいて、照明で明るくして小さい薬粒を見やすくして、下段の穴の溝の上にシートに包まれた薬粒の普通サイズ、大きいサイズを選別して置いておいて、上段を下へおろすとシートが破れて、シートに包まれた薬粒が下の受け皿に落ちて、薬粒を手に取り出して飲んだり、受け皿の取り出し口を口に当てて、直接に口に入れて薬粒を飲むことができることも可能であることを特徴とする、照明付き、幅広の棘ぬき型式、薬取り出し器。
【考案が解決しようとする課題】
【０００５】  飲薬の錠剤の粒をシートから取り出す時には、高齢者や身体障碍者になると指先が麻痺したり、力不足になったり、指先が痛くなったり、力が入らなくなったり、目が悪くなり、小さいものがよく見えなくなったりして、上手く取り出すことができないことが多い。明るく見やすくして、小さな薬粒の見分けができて、簡単な操作と方法で薬粒を取り出して飲むことができれば高齢者や身体障碍者だけでなく一般の人々にも良報となる。
【考案を解決するための手段】
【０００６】  本考案は照明付きで、幅広の棘ぬき型式でＵ字状の形状であり、素材は金属、プラスチック、ステンレススチール、セラミック、ポリプロピレン、ポリエチレンなどの合成樹脂製、フッ素樹脂製などで造り、一方の端はバネのあるコ字状であり、もう一方の方はまっすぐの二段であり、上段の先端付近には二個、左右横に、丸又は角型の突起物を付けておく。下段の先端付近には二個、左右に上段の突起物が入るように突起物より大きい穴の溝を開けておく。突起物が入る穴の大きさは普通サイズ、１０×１５ｍｍ、大きいサイズ、１６×２０ｍｍの二種類とする。
シートに包まれた薬粒とシートの寸法はいろいろとある。一部を下記に書き出す。
シートのヨコ×タテの寸法                シートの中の薬粒の寸法
▲１▼  １５×１５ｍｍ                              ９×  ９ｍｍ
▲２▼  １５×２５ｍｍ                              ６×１５ｍｍ
▲３▼  １７×３５ｍｍ                            １０×１０ｍｍ
▲４▼  １８×１８ｍｍ                              ８×  ８ｍｍ
▲５▼  ２０×１４ｍｍ                              ４×１４ｍｍ
▲６▼  ２０×２０ｍｍ                            １０×１０ｍｍ
▲７▼  ２２×４０ｍｍ                        ４〜１７×１０ｍｍ
▲８▼  ２２×４０ｍｍ                      １７〜２０×１０ｍｍ
従って、薬粒の大きさに対する穴の溝は普通サイズ、１０〜１５ｍｍであり、大きいサイズ、１６〜２０ｍｍの穴の溝をつくっておくことにより、いろいろなサイズに対応する。シートの大きさはいろいろとあるが、手でシートに包まれた薬粒を穴の溝の上に置くことで解決する。  更に高齢者になると目が悪くなって、細かいところがよく見えなくなる
0003214424.tif 000004
の後部の部分に小型のスイッチ付き、又はサーモスタット付きの１．５〜４．５ボルトの電池式で照明やＬＥＤ照明を突起物の方向に向かって取り付けておく。照明を付けることにより、小さい薬粒を見やすくして操作をしやすくする。更に、下の受け皿の箱の前面、又は左側面、又は右側面に薬粒の取り出し口を開けておき、箱の中に落ちてきた１〜数個の薬粒を手に取り出して飲んだり、箱の取り出し口ごとに直接に口に当てて口の中へ入れて飲むことができることや、食卓や机の下にモノが落ちた時に暗くて探せない時に懐中電灯の代わりにもなることを特徴とする、照明付き、幅広の棘ぬき型式、薬取り出し器。
【考案の効果】
【０００７】  高齢者や身体障碍者になると薬をのむ機会が多くなる。親指や人差し指などの指の力が衰えたり、震えたり、痛くなったり、目が悪くなって、小さい錠剤の薬粒をシートから取り出すのに苦痛を伴い、困難になる。本考案を使用すると照明で穴の溝の付近を明るく、見やすくして穴の溝の上に薬粒を置いておいて、上段を下すだけで受け皿の中に入った小さな薬粒を手に取り出して飲んだり、指や手に持ちかえずに、直接に口に当てて飲むことができたり、小さな懐中電灯の代わりにもなることも可能なので、高齢者や身体障碍者だけでなく、一般の人々にも大変に助かるので、便利な照明付き、幅広の棘ぬき型式、薬取り出し器。
【図面の簡単な説明】
【０００８】
【図１】
0003214424.tif 000005
【図２】
0003214424.tif 000006
【図３】上からの図
【図４】下からの図
【図５】突起物の図  （１）丸形  （２）角形
【図６】
0003214424.tif 000007
【図７】下段の下の照明と電池とスイッチの図
【図８】受け皿に入った薬粒の取り出し口  （１）前面  （２）左側面  （３）右側面
【図９】突起物と穴の溝が一個の場合で開いた図  （１）正面図  （２）側面図  左  右  （３）斜め図
【図１０】突起物と穴の溝が三個の場合で開いた図  （１）正面図  （２）側面図  左  右  （３）斜め図
【図１１】シートに包まれた薬粒を本考案に置いた図
【符号の説明】
【０００９】▲１▼  本考案の上段
▲２▼  本考案の下段
▲３▼  本考案のバネの部分
▲４▼  普通のサイズの突起物
▲５▼  大きいサイズの突起物
▲６▼  普通のサイズの穴の溝
▲７▼  大きいサイズの穴の溝
▲８▼  下段の下の箱型の受け皿
▲９▼  照明、又はＬＥＤ照明
▲１０▼  電池
▲１１▼  スイッチ
▲１２▼  配線
▲１３▼  受け皿にあけた薬粒の取り出し口、左の側面
▲１４▼  受け皿にあけた薬粒の取り出し口、右の側面
▲１５▼  受け皿のあけた薬粒の取り出し口、前面
▲１６▼  小の大きさの穴の溝
▲１７▼  中の大きさの穴の溝
▲１８▼  大の大きさの穴の溝
▲１９▼  小の大きさの突起物
▲２０▼  中の大きさの突起物
▲２１▼  大の大きさの突起物
▲２２▼  薬粒
▲２３▼  シート
▲２４▼  電池の交換口の蓋
【考案を実施するための形態】
【００１０】  １、照明のスイッチを入れて明るくする。
２、薬粒の大きさを普通サイズ、大きいサイズに選別する。普通サイズの薬粒は普通サ      イズの穴の上に、大きいサイズの薬粒は大きいサイズの穴の上に置く。一個ずつで      もよいし、二個、同時でもよい。
３、上段の突起物を下に下ろして、シートに包まれた薬粒の上に下ろす。
４、錠剤の薬粒のシートが破れて、薬粒が箱型の受け皿の中へ落ちて入る。
５、一個だけでなく二個、三個と飲む場合は二個、三個と受け皿の中へ入れる。
６、受け皿の中の薬粒を手に入れて、手で口の中へ入れる。又は受け皿の前面、又は左      側面、又は右側面に付けた薬粒の取り出し口を器具ごと口にあてて、受け皿に入っ      ている薬粒を口の中へ入れる。
７、薬をのむ。
８、照明のスイッチを切る。
９、錠剤のシートをすてる。
１０、電池が切れたら、本考案の底に付けてある蓋を取り外して交換する。
１１、食卓や机の下へよくモノが落ちる。暗いところで探し物をする時に懐中電灯のかわ      りにもなるのでスイッチをＯＮにしてモノを捜す。
【産業上の利用可能性】
【００１１】  高齢化が進んでいる現在、シートに包まれた錠剤の薬をのむ機会は多い。毎日、シートに包まれた薬の粒を取り出すのは高齢者や身体障碍者にとっては、指が痛くて感覚がなくなったり、震えたりして、シートが破れなくて苦しんでいる人は多い。また、高齢者になると目が悪くなって小さい薬粒を見分けにくいので照明で明るくすることにより、簡単に薬粒を取り出して小さな薬粒を指や手に持ち変えずに、直接口にあてて飲むことができれば高齢者や身体障碍者にとっては他人の世話にならずにできるので、日々のストレスのない、健全で楽しい生活を送ることができる。更に、食卓や机の下へモノを落とした時に、暗くてよく見えない時には懐中電灯の代わりにもなるので便利である。
【図１】
0003214424.tif 000012
【図２】
0003214424.tif 000013
【図３】
0003214424.tif 000014
【図４】
0003214424.tif 000015
【図５】
0003214424.tif 000016
【図６】
0003214424.tif 000017
0003214424.tif 000018
【図７】
0003214424.tif 000019
【図８】
0003214424.tif 000020
【図９】
0003214424.tif 000021
【図１０】
0003214424.tif 000022
0003214424.tif 000023
【図１１】
0003214424.tif 000024
【手続補正書】
【提出日】平成29年10月18日(2017.10.18)
【手続補正１】
【補正対象書類名】実用新案登録請求の範囲
【補正対象項目名】全文
【補正方法】変更
【補正の内容】
【実用新案登録請求の範囲】
【請求項１】
照明付き、棘ぬき型式のＵ字状の形状であり、一方はバネになるようにＵ字状にしてあり、もう一方はまっすぐの二段であり、上段の端の部分には二個、左右に普通の大きさのタイプ、大きいタイプの凸型の丸形、又は角形の突起物を付けておき、下段の端には上段の突起物が入るように二個、普通サイズのタイプ、大きいサイズのタイプの穴の溝を開けておき、下段の下には水平面、又は、曲面状の底面を有する、薬粒を受ける箱型の受け皿を付けておき、受け皿の前面の位置に薬粒の取り出し口を開けておいて、下段の奥のバネの下の部分にはスイッチ式の照明、又はＬＥＤ照明と電池を入れておき、前方は薬粒を受けるための箱にしておいて、照明で穴の溝の付近を明るくして、その穴の溝の上にシートに包まれた薬粒を置いておいて、上段を下へ下ろすと突起物が下段の薬粒の上に落ちて、シートを破って薬粒を手に取り出して飲んだり、取り出し口から小さな薬粒を指や手に持ち変えることなく、直接に口にあてて飲むことができることも可能であることを特徴とする、照明付き、棘ぬき型式、薬取り出し器。
【請求項２】
照明付き、棘ぬき型式のＵ字状の形状であり、一方はバネになるようにＵ字状にしてあり、もう一方はまっすぐの二段であり、上段の端の部分には二個、左右に普通の大きさのタイプ、大きいタイプの凸型の丸形、又は、角形の突起物を付けておき、下段の端には上段の突起物が入るように二個、普通サイズのタイプ、大きいサイズのタイプの穴の溝を開けておき、下段の下には水平面、又は、曲面状の底面を有する、薬粒を受ける箱型の受け皿を付けておき、受け皿の左側面の前方の位置に薬粒の取り出し口を開けておいて、下段の奥のバネの下の部分にはスイッチ式の照明、又はＬＥＤ照明と電池を入れておき、前方は薬粒を受けるための箱にしておいて、照明で穴の溝付近を明るくして、その穴の溝の上にシートに包まれた薬粒を置いておいて、上段を下に下ろすと突起物が下段の薬粒の上に落ちて、シートを破って薬粒を手に取り出して飲んだり、取り出し口から小さな薬粒を指や手に持ち変えることなく、直接に口にあてて飲むことができることも可能であることを特徴とする、照明付き、棘ぬき型式、薬取り出し器。
【請求項３】
照明付き、棘ぬき型式のＵ字状の形状であり、一方はバネになるようにＵ字状にしてあり、もう一方はまっすぐの二段であり、上段の端の部分には二個、左右に普通の大きさのタイプ、大きいタイプの凸型の丸形、又は、角形の突起物を付けておき、下段の端には上段の突起物が入るように二個、普通サイズのタイプ、大きいサイズのタイプの穴の溝を開けておき、下段の下には水平面、又は、曲面状の底面を有する、薬粒を受ける箱型の受け皿を付けておき、受け皿の前の右側面の前方の位置に薬粒の取り出し口を開けておいて、下段の奥のバネの下の部分にはスイッチ式の照明、又はＬＥＤ照明と電池を入れておき、前方は薬粒を受けるための箱にしておいて、照明で穴の溝付近を明るくして、その穴の溝の上にシートに包まれた薬粒を置いておいて、上段を下へ下ろすと突起物が下段の薬粒の上に落ちて、シートを破って薬粒を手に取り出して飲んだり、取り出し口から小さな薬粒を指や手に持ち変えずに、直接に口にあてて飲むことができることも可能であることを特徴とする、照明付き、棘ぬき型式、薬取り出し器。
【請求項４】
照明付き、棘ぬき型式のＵ字状の形状であり、一方はバネになるようにＵ字状にしてあり、もう一方はまっすぐの二段であり、上段の端の部分には三個、左から小、中、大のサイズの大きさの凸型の丸形、又は、角形の突起物を付けておき、下段の端には上段の突起物が入るように三個、左から小、中、大の大きさのサイズの穴の溝を開けておき、下段の奥のバネの下の部分にはスイッチ式の照明、又はＬＥＤ照明と電池を入れておき、前方は薬粒を受ける受け皿の箱にして置き、その受け皿の前面の位置に薬粒の取り出し口を開けておき、照明で穴の溝付近を明るくして、その穴の溝の上にシートに包まれた薬粒を置いておいて、上段を下へ下ろすと突起物が下段の薬粒の上に落ちて、シートを破って薬粒を手に取り出して飲んだり、取り出し口から小さな薬粒を指や手に持ち変えずに、直接に口にあてて飲むことができることも可能であることを特徴とする、照明付き、棘ぬき型式、薬取り出し器。
【請求項５】
照明付き、棘ぬき型式のＵ字状の形状であり、一方はバネになるようにＵ字状にしてあり、もう一方はまっすぐの二段であり、上段の端の部分には三個、左から小、中、大のサイズの大きさの凸型の丸形、又は角形の突起物を付けておき、下段の端には上段の突起物が入るように三個、左から小、中、大の大きさのサイズの穴の溝を開けておき、下段の奥のバネの下の部分にはスイッチ式の照明、又はＬＥＤ照明と電池を入れておき、前方は薬粒を受ける受け皿の箱にしておき、その受け皿の左側面の前方の位置に薬粒の取り出し口を開けておき、穴の溝付近を明るくして、その穴の溝の上にシートに包まれた薬粒を置いておいて、上段を下へ下ろすと突起物が下段の薬粒の上に落ちて、シートを破って薬粒を手に取り出して飲んだり、取り出し口から小さな薬粒を指や手に持ち変えずに、直接に口にあてて飲むことができることも可能であることを特徴とする、照明付き、棘ぬき型式、薬取り出し器。
【請求項６】
照明付き、棘ぬき型式のＵ字状の形状であり、一方はバネになるようにＵ字状にしてあり、もう一方はまっすぐの二段であり、上段の端の部分には三個、左から小、中、大のサイズの大きさの凸型の丸形、又は角形の突起物を付けておき、下段の端には上段の突起物が入るように三個、左から小、中、大の大きさのサイズの穴の溝を開けておき、下段の奥のバネの下の部分にはスイッチ式の照明、又はＬＥＤ照明と電池を入れておき、前方は薬粒を受ける受け皿の箱にしておき、その受け皿の右側面の前方の位置に薬粒の取り出し口を開けておき、穴の溝付近を明るくして、その穴の溝の上にシートに包まれた薬粒を置いておいて、上段を下へ下ろすと突起物が下段の薬粒の上に落ちて、シートを破って薬粒を手に取り出して飲んだり、取り出し口から小さな薬粒を指や手に持ち変えずに、直接に口にあてて飲むことができることも可能であることを特徴とする、照明付き、棘ぬき型式、薬取り出し器。
【請求項７】
照明付き、棘ぬき型式のＵ字状の形状であり、一方はバネになるようにＵ字状にしてあり、もう一方はまっすぐの二段であり、上段の端の部分には一個、普通の大きさのタイプ、又は普通の大きさのタイプより少し大きめのタイプの大きさの凸型の丸形、又は角形の突起物を付けておき、下段の端には上段の突起物が入るように一個、普通の大きさのタイプ、又は普通の大きさのタイプより少し大きめのタイプの穴の溝を開けておき、下段の奥のバネの下の部分にはスイッチ式の照明、又はＬＥＤ照明と電池を入れておき、前方は薬粒を受ける受け皿の箱にしておき、その受け皿の前面の位置、又は、左側面の前方、又は、右側面の前方の位置に薬粒の取り出し口を開けておき、穴の溝付近を明るくして、その穴の溝の上にシートに包まれた薬粒を置いておいて、上段を下へ下ろすと突起物が下段の薬粒の上に落ちて、シートを破って薬粒を手に取り出して飲んだり、取り出し口から小さな薬粒を指や手から持ち変えずに、直接口にあてて飲むことができることも可能であることを特徴とする、照明付き、棘ぬき型式、薬取り出し器。
【請求項８】
照明付きで、バネ式のホッチキス型式、又は幅広のホッチキス型式の形状であり、一方は押しバネ、または板バネ又はキックバネを一個〜数個取り付けておいて、もう一方はまっすぐの二段であり、上段の端の部分には一〜二個、一の場合は普通の大きさのタイプ、二の場合は左右に普通サイズの大きさと大きいサイズの大きさの凸型の丸形、又は角形の突起物を付けておき、下段の端には上段の突起物が入る大きさで一〜二個、一の場合は普通の大きさのタイプ、二の場合は左右に普通サイズの大きさと大きいサイズの大きさの穴の溝を開けておき、下段の下には水平面、又は、曲面状の底面を有する、薬粒を受ける箱型の受け皿を付けておき、受け皿の前面の位置、又は左側面の前方の位置、又は右側面の前方の位置に薬粒の取り出し口を開けておいて、下段の下の受け皿の中ほどより後方の部分にはスイッチ式の照明、又はＬＥＤ照明と電池を入れておき、前方は薬粒を受けるための箱にしておいて、穴の溝付近を明るくして、その穴の溝の上にシートに包まれた薬粒を置いておいて、上段を下へ下ろすと突起物が下段の薬粒の上に落ちて、シートを破って薬粒を手に取り出して飲んだり、取り出し口から小さな薬粒を指や手に持ち変えることなく、直接に口にあてて飲むことができることも可能であることを特徴とする、バネ式の薬取り出し器の下に付けた照明と薬取り出し口を付けた、薬取り出し器。
【手続補正４】
【補正対象書類名】図面
【補正対象項目名】全図
【補正方法】変更
【補正の内容】
【図１】
0003214424.tif 000025
【図２】
0003214424.tif 000026
【図３】
0003214424.tif 000027
【図４】
0003214424.tif 000028
【図５】
0003214424.tif 000029
【図６】
0003214424.tif 000030
【図７】
0003214424.tif 000031
【図８】
0003214424.tif 000032
【図９】
0003214424.tif 000033
【図１０】
0003214424.tif 000034
【図１１】
0003214424.tif 000035